(57)【要約】【課題】映像品質を向上させるとともに、コストを低減させることのできる画像オーバレイ装置を得る。【解決手段】アナログ形式の監視画像をデジタル形式に変換するＡＤ変換部３と、監視画像の全体から、表示装置毎に割り当てられた表示部分のみの分割画像を取得し、分割画像をベース画像に重ねて、表示装置毎の表示画像として、各表示画像が割り当てられた表示装置２０Ａ、２０Ｂに出力する複数のオーバレイ部４Ａ、４Ｂと、各オーバレイ部４Ａ、４Ｂを制御し、各表示画像をそれぞれのオーバレイ部４Ａ、４Ｂに割り当てられた表示装置２０Ａ、２０Ｂに出力させる制御部５とを備えた。【選択図】        図１
2004266612.tif 000002
【特許請求の範囲】
【請求項１】
カメラにより撮像された監視画像を複数の表示部分に分割して、複数の表示装置毎に各表示部分を割り当て、前記表示部分を前記表示装置毎のベース画像に重ねて表示させ、前記各表示装置のベース画像とともに前記監視画像を表示させる画像オーバレイ装置であって、
アナログ形式の前記監視画像をデジタル形式に変換する映像入力手段と、
前記監視画像の全体から、前記表示装置毎に割り当てられた表示部分のみの分割画像を取得し、前記分割画像を前記ベース画像に重ねて、前記表示装置毎の表示画像として、前記各表示画像が割り当てられた前記表示装置に出力する複数のオーバレイ手段と、
前記各オーバレイ手段を制御し、前記各表示画像をそれぞれのオーバレイ手段に割り当てられた表示装置に出力させる制御手段と
を備えたことを特徴とする画像オーバレイ装置。
【請求項２】
前記映像入力手段および前記各オーバレイ手段は、それぞれ独立したカード構成のハードウェアにより構成されたことを特徴とする請求項１に記載の画像オーバレイ装置。
【請求項３】
前記各オーバレイ手段は、個別のオーバレイ手段としてそれぞれ識別するためのハードウェアＩＤを設定するＩＤ設定手段を備え、
前記制御手段は、前記ＩＤ設定手段に設定されたハードウェアＩＤに基づいて、前記各オーバレイ手段を識別することを特徴とする請求項２に記載の画像オーバレイ装置。
【請求項４】
前記映像入力手段は、前記各オーバレイ手段にそれぞれ接続され、複数の規格の監視画像が入力されることを特徴とする請求項１から請求項３までの何れか１項に記載の画像オーバレイ装置。
【請求項５】
前記映像入力手段は、前記複数の規格の監視画像を統一した形式のデジタルデータで出力することを特徴とすることを特徴とする請求項４に記載の画像オーバレイ装置。
【請求項６】
前記映像入力手段および前記オーバレイ手段は、前記監視画像の規格毎に対応して、高速通信対応ケーブルまたは低速通信対応ケーブルの何れか一方により接続されたことを特徴とする請求項４または請求項５に記載の画像オーバレイ装置。
【請求項７】
前記オーバレイ手段は、前記表示装置の任意の表示座標における表示色情報を抽出し、前記表示色情報を前記表示装置に表示させるための表示色情報抽出手段を備えたことを特徴とする請求項１から請求項６までの何れか１項に記載の画像オーバレイ装置。
【発明の詳細な説明】
【０００１】
【発明の属する技術分野】
この発明は、例えば道路・河川・電力関連施設などの監視映像を複数の画面にまたがってオーバレイするマルチ大画面システムの画像オーバレイ装置に関するものである。
【０００２】
【従来の技術】
従来の画像オーバレイ装置は、ビデオポート付きディスプレイコントローラのビデオポートに接続できる出力ポートを有しており、この出力ポートからビデオポート付きディスプレイコントローラに対して、画像Ａと画像Ｂとをオーバレイしたオーバレイ画像を、１つの入力オーバレイ画像として出力することができる。したがって、ビデオポート付きディスプレイコントローラでは、オーバレイした２つの画像が入力オーバレイ画像として表示画面上にオーバレイ表示されるので、複数の画像ソースそれぞれからの複数の動画像を同時に表示画面上にオーバレイすることが可能となる（例えば、特許文献１参照）。
【０００３】
【特許文献１】
特開平１０−１２４２８５号公報（第５頁、第１図）
【０００４】
【発明が解決しようとする課題】
従来の画像オーバレイ装置は以上のように、マルチ大画面表示システムのような複数のディスプレイに、画面間をまたぐようにしてオーバレイ画像を表示させるためには、あらかじめ分配器でカメラ画像を分配し、複数用意した画像オーバレイ装置にそれぞれ分配したカメラ画像を入力させる必要がある。しかし、分配器と画像オーバレイ装置とを接続するための接続ケーブルが、分配した数だけ増えてしまうので、接続ケーブルが煩雑になってしまう。また、分配器を用意することによって装置の価格が高くなったり、また、カメラ画像を分配器に通すことによって画質が劣化してしまうという問題点があった。
【０００５】
この発明は上記のような問題点を解決するためになされたもので、映像品質を向上させるとともに、コストを低減させることのできる画像オーバレイ装置を得ることを目的とする。
【０００６】
【課題を解決するための手段】
この発明に係る画像オーバレイ装置は、カメラにより撮像された監視画像を複数の表示部分に分割して、複数の表示装置毎に各表示部分を割り当て、表示部分を表示装置毎のベース画像に重ねて表示させ、各表示装置のベース画像とともに監視画像を表示させる画像オーバレイ装置であって、アナログ形式の監視画像をデジタル形式に変換する映像入力手段と、監視画像の全体から、表示装置毎に割り当てられた表示部分のみの分割画像を取得し、分割画像をベース画像に重ねて、表示装置毎の表示画像として、各表示画像が割り当てられた表示装置に出力する複数のオーバレイ手段と、各オーバレイ手段を制御し、各表示画像をそれぞれのオーバレイ手段に割り当てられた表示装置に出力させる制御手段とを備えたものである。
【０００７】
【発明の実施の形態】
実施の形態１．
以下、図面を参照しながら、この発明の実施の形態１について詳細に説明する。図１は、この発明の実施の形態１を示す画像オーバレイ装置のブロック構成図であり、図２は、従来の画像オーバレイ装置を用いて複数の表示画面に画像を表示させる場合のブロック構成図である。
なお、図２において、図１と同様のものについては同一符号または、符号の後に「Ａ」、「Ｂ」を付す。
【０００８】
図１において、画像オーバレイ装置２は、監視映像を撮像するカメラ１が接続され、カメラ１からのカメラ画像を入力する。また、画像オーバレイ装置２で処理されたオーバレイ画像を表示する２つの表示装置２０Ａ、２０Ｂが接続されている。さらに、表示装置２０Ａ、２０Ｂに表示されるベースとなる画像（ベース画像）を出力するベース画面出力装置１０が接続されている。
このように表示画面が２画面で構成され、２画面を１つの大画面とする。
なお、ベース画面出力装置１０は、例えばパソコンの表示装置に表示されるデスクトップ画像や地図などの固定画像を格納しており、例えば複数のディスプレイカードを搭載したパソコンである。この場合、この表示装置の画面の指定領域にカメラ画像を表示させる。
【０００９】
一方、図２において、従来の単一画面用の画像オーバレイ装置２Ａ、２Ｂを用いて複数の表示装置２０Ａ、２０Ｂにカメラ画像を表示させる場合には、まず、表示装置（表示画面）２０Ａ、２０Ｂの数だけ画像オーバレイ装置２Ａ、２Ｂを用意する。
まず、監視画像を撮像するカメラ１は分配器３０に接続される。分配器３０およびベース画面出力装置１０は、各画像オーバレイ装置２Ａ、２Ｂに接続される。なお、カメラ１が複数設置されている場合には、その数だけ分配器３０を用意する。
各画像オーバレイ装置２Ａ、２Ｂは、それぞれ表示装置２０Ａ、２０Ｂに接続される。
また、画像オーバレイ装置２Ａ、２Ｂは、カメラ画像をデジタル変換する単一のＡＤ変換部３Ａ、３Ｂと、カメラ画像をベース画像にオーバレイする単一のオーバレイ部４Ａ、４Ｂとにより構成される。
【００１０】
まず、従来の画像オーバレイ装置２Ａ、２Ｂを用いた場合の画像表示方法について説明する。
カメラ１で撮像されたカメラ画像は分配器３０に入力され、分配器３０は画像オーバレイ装置２Ａ、２Ｂにそれぞれカメラ画像を出力する。画像オーバレイ装置２Ａ、２Ｂにそれぞれ同一のカメラ画像が入力されると、それぞれの画像オーバレイ装置２Ａ、２ＢのＡＤ変換部３Ａ、３Ｂは、カメラ画像をデジタル変換する。
オーバレイ部４Ａ、４Ｂは、入力されるカメラ画像の数やカメラ画像の表示位置、表示サイズがあらかじめ設定され、設定内容に応じてカメラ画像を編集する。まず、カメラ画像から各表示画面に表示させる領域だけを切り出し、カメラ画像の表示サイズに合わせて、切り出されたカメラ画像を拡大または縮小する。さらに別のカメラなどによりカメラ画像が入力された場合には（図示せず）、設定内容に応じて、２つのカメラ画像をオーバレイする。
【００１１】
次に、オーバレイ部４Ａ、４Ｂは、カメラ画像の表示位置に合わせてカメラ画像とベース画像とをオーバレイし、オーバレイ画像として出力する。
それぞれの表示装置２０Ａ、２０Ｂは、画像オーバレイ装置２Ａ、２Ｂから出力されたオーバレイ画像を表示する。これにより、２つの表示画面によって１つの画像が構成される。
【００１２】
次に、この発明の実施の形態１の画像オーバレイ装置の内部構成とその動作について説明する。なお、図１において、前述（図２参照）と同一符号を付したものについては詳述を省略する。
図１において、画像オーバレイ装置２は、アナログ形式のカメラ画像をデジタル形式に変換する単一のＡＤ変換部（映像入力手段）３と、表示装置（表示画面）２０Ａ、２０Ｂと同数のオーバレイ部（オーバレイ手段）４Ａ、４Ｂと、各オーバレイ部４Ａ、４Ｂを制御する制御部（制御手段）５とにより構成される。
また、従来の画像オーバレイ装置は前述のように単一画面用であり、表示装置２０Ａ、２０Ｂの数と同数だけ用意されたが、図１のように、１つの画像オーバレイ装置２は表示装置の数と同数のオーバレイ部４Ａ、４Ｂが構成されている。
カメラ１で撮像されたカメラ画像は、画像オーバレイ装置２に入力され、まずＡＤ変換部３に入力される。ＡＤ変換部３は、カメラ画像をデジタル変換し、それぞれのオーバレイ部４Ａ、４Ｂに出力する。
【００１３】
オーバレイ部４Ａ、４Ｂは、前述（図２参照）と同様に、入力されるカメラ画像の数やカメラ画像の表示位置、表示サイズがあらかじめ設定され、設定内容に応じてカメラ画像を編集する。
オーバレイ部４Ａ、４Ｂは、カメラ画像の切り出し、表示サイズに合わせたカメラ画像の拡大／縮小を行い、ベース画面出力装置１０から出力されたベース画像とオーバレイを行う。
制御部５は、各オーバレイ部４Ａ、４Ｂから出力されたオーバレイ画像を、それぞれに割り当てられた表示装置２０Ａ、２０Ｂに出力させ、表示装置２０Ａ、２０Ｂにオーバレイ画像を表示される。
これにより、従来の同様に２つの表示画面によって１つの画像が構成される。
なお、上記の説明では、２画面システムに利用する場合を示したが、４画面、８画面等、２画面以上の表示システムにも応用することができる。
【００１４】
従来の単一画面用の画像オーバレイ装置を用いて複数画面を必要とするマルチ大画面システムを構築すると、カメラ画像の信号を分配器３０によって分配してそれぞれの画像オーバレイ装置に入力させる必要があり、分配器と画像オーバレイ装置との接続ケーブルが煩雑になる。本発明では、カメラ１からの信号を分配することなく、デジタル変換した後のデジタルデータを表示装置毎のオーバレイ部４Ａ、４Ｂに入力させることにより、外部の接続ケーブルを削減することができる。
また、ＡＤ変換部３を減らすことができるので、コストを削減することができる。従って、表示画面数に応じて画像オーバレイ装置を増やしていた従来に比べて、表示画面数が多いほどこの効果は大きい。
また、分配器３０を通すことによって生じる画質の低下を避けることができる。また、ＡＤ変換部３を単一にしたので、ＡＤ変換ハードウェアの個体差によるタイミングのずれや色相の差が生じず、表示映像品質を向上させることができる。
【００１５】
実施の形態２．
図３はこの発明の実施の形態２を示す画像オーバレイ装置のブロック構成図である。図３において、前述（図１参照）と同一のものについては同一符号を付して詳述を省略する。
図３において、点線で示すように、画像オーバレイ装置２に構成されたＡＤ変換部３、１画面用のオーバレイ部４Ａ、４Ｂをそれぞれ独立して搭載したカードで構成する。
なお、前述（図１参照）と同様に表示画面が２画面で構成され、２画面を１つの大画面とする。
これにより、監視システム毎に異なる表示画面数に対応した数のオーバレイ部を構成することができる。
また、ＡＤ変換部３とオーバレイ部４Ａ、４Ｂとのカード間の接続は、バス状のケーブルで接続されることにより、オーバレイハードウェアの搭載されたカードの枚数に応じて柔軟に対応することができる。
【００１６】
実施の形態３．
図４はこの発明の実施の形態３を示す画像オーバレイ装置のブロック構成図である。なお、図４において、前述（図１参照）と同一のものについては同一符号を付して詳述を省略する。
図４において、図１に示した画像オーバレイ装置のＡＤ変換部３をＪＰＥＧデコーダ（映像入力手段）６に置き換えて構成する。また、ＪＰＥＧデコーダ６も前述の実施の形態２と同様にカード構成のハードウェアとする。
なお、前述（図１参照）と同様に表示画面が２画面で構成され、２画面を１つの大画面とする。
ＡＤ変換部３の代わりにＪＰＥＧデコーダ６を設けたので、カメラ画像の代わりにＪＰＥＧ画像をオーバレイすることができる。
また、ＪＰＥＧデコーダ６と各オーバレイ部４Ａ、４Ｂとの間のデジタルデータは、標準規格のデータ構成で接続される。標準規格のデータ構成には、例えば、輝度情報と色情報とを分けたＹＣｂＣｒ形式を使用する。
ＪＰＥＧデコーダ６は、ＪＥＰＧ画像をＹＣｂＣｒ形式で出力する。
このように、ＡＤ変換部３とＪＰＥＧデコーダ６との出力形式を統一させたので、カメラ画像やＪＰＥＧ画像をオーバレイすることができる。
【００１７】
例えば、ネットワーク等でＪＰＥＧ（Ｊｏｉｎｔ  ＰｈｏｔｏｇｒａｐｈｉｃＥｘｐｅｒｔｓ  Ｇｒｏｕｐ）フォーマットの監視画像が伝送され、画像オーバレイ装置２のＪＰＥＧデコーダ６に入力させることにより、単にＡＤ変換した画像データだけでなく、ＪＰＥＧフォーマットのデジタル画像データを表示装置に表示させることができる。
また、ＭＰＥＧ２／４（Ｍｏｖｉｎｇ  Ｐｉｃｔｕｒｅ  Ｅｘｐｅｒｔｓ  Ｇｒｏｕｐ  ２／４）などのフォーマットの復号デジタル画像データを表示させるために、ＭＥＰＧデコーダで構成してもよい。
このように、ＡＤ変換部３やＪＰＥＧデコーダ６、ＭＥＰＧデコーダなど、オーバレイする画像を入力するハードウェアを総して、映像入力ハードウェアと呼ぶ。今後新たな映像フォーマットが現れた場合にも、映像入力ハードウェアとオーバレイハードウェアとの間に統一した規格に合うように変換することにより、対応可能である。
【００１８】
実施の形態４．
図５はこの発明の実施の形態４を示す画像オーバレイ装置のブロック構成図である。図５において、前述（図１参照）と同一のものについては同一符号を付して詳述を省略する。
図５において、画像オーバレイ装置２は、複数の映像入力に対応し、ＡＤ変換部３、ＪＰＥＧデコーダ６、ＭＰＥＧデコーダ７などで構成される。
また、ＡＤ変換部３、ＪＰＥＧデコーダ６、ＭＰＥＧデコーダ７などの映像入力と、複数のオーバレイ部４Ａ、４Ｂとの接続ケーブルは、それぞれバス状のケーブル１本で接続されている、すなわち、各映像入力とオーバレイ部との接続にそれぞれ分離したケーブルを用いる。
なお、前述（図１参照）と同様に表示画面が２画面で構成され、２画面を１つの大画面とする。
ＡＤ変換部３、ＪＰＥＧデコーダ６、ＭＰＥＧデコーダ７からの出力は、表示画面数に応じて設けられたオーバレイ部４Ａ、４Ｂにそれぞれ入力され、それぞれのオーバレイ部４Ａ、４Ｂにおいて表示装置毎の処理が行われる。
【００１９】
この場合、各オーバレイ部４Ａ、４Ｂには、対応する表示画面における各画像の表示位置が設定されている。例えば、図５の場合、一方のオーバレイ部４Ａには、次のように設定される。
（１）カメラ画像は、表示画面２０Ａの中央部に表示
（２）ＪＰＥＧ画像の一方は表示画面２０Ａの右端に表示
また、他方のオーバレイ部４Ｂには、次のように設定されている。
（１）ＪＰＥＧ画像の他方は表示画面２０Ｂの左端に表示
（２）ＭＰＥＧ画像は表示画面２０Ｂの中央部に表示
また、設定により、映像入力ハードウェアの種類は任意に選択することができ、例えば、入力をカメラ画像だけにすることや、カメラ画像とＭＰＥＧ画像を混在させることもできる。
このように、複数の映像入力に対応させることにより、同時に様々な規格の画像を１つの大画面に表示させることができる。
【００２０】
実施の形態５．
図６はこの発明の実施の形態５を示す画像オーバレイ装置のブロック構成図である。図６において、前述（図１参照）と同一のものについては同一符号を付して詳述を省略する。
図６において、画像オーバレイ装置２は、カメラ１とともに、ＲＧＢ画像（１２８０×１０２４など）を出力するパソコン８に接続される。
画像オーバレイ装置２は、ＡＤ変換器３と、オーバレイ部４Ａ、４Ｂと、制御部５と、高速でデジタル変換を行う高速ＡＤ変換部（映像入力手段）９とにより構成される。
また、ＡＤ変換部３とオーバレイ部４Ａ、４Ｂとは低速通信用の低速通信対応ケーブル１１で接続され、高速ＡＤ変換部９とオーバレイ部４Ａ、４Ｂとは高速通信用の高速通信対応ケーブル１２で接続される。
なお、前述（図１参照）と同様に表示画面が２画面で構成され、２画面を１つの大画面とする。
【００２１】
例えば、パソコン８からのＲＧＢ画像は、１２８０×１０２４など、カメラ画像（６４０×４８０）に比べて解像度が高く、ＲＧＢ画像とカメラ画像とを同時に表示するためには、ＲＧＢ画像を高速で通信する必要があるので、デジタル変換を高速に行う高速ＡＤ変換部９を設け、高速通信対応ケーブル１２で接続することにより、カメラ１からの画像とパソコン８からの画像とを同時に表示させることができる。
また、高速通信対応ケーブルによってＲＧＢ画像は高性能を確保でき、安価な低速通信対応ケーブルの使用を継続できる。
また、高速通信においては、バス状のケーブルを用いるとノイズ等の影響を受けて画質品質の劣化につながるので、各信号をシールドしたケーブルなどを用いるディージーチェイン方式を採る。
ディージーチェイン方式は、複数の装置を数珠つなぎに接続する方法で、バス接続の場合、１対多の接続となるため、反射ノイズが乗りやすくなる。一方、ディージーチェイン方式では、１対１の接続なので、反射を防ぐことができる。
図６において、オーバレイ部４Ａと、オーバレイ部４Ｂとは高速通信対応ケーブル１２によって数珠つなぎで接続される。
【００２２】
実施の形態６．
図７はこの発明の実施の形態６を示す画像オーバレイ装置のブロック構成図である。図７において、前述（図１参照）と同一のものについては同一符号を付して詳述を省略する。
図７において、オーバレイハードウェアを搭載したカード４Ａ、４Ｂは、それぞれのカードを識別するためのカードＩＤ（ハードウェアＩＤ）を設定することのできるＩＤ設定機構（ＩＤ設定手段）１３Ａ、１３Ｂを備えている。
ＩＤ設定機構１３Ａ、１３ＢにはそれぞれユニークなカードＩＤを設定することができる。
なお、前述（図１参照）と同様に表示画面が２画面で構成され、２画面を１つの大画面とする。
【００２３】
例えば、オーバレイハードウェアをＰＣＩカードとして実現するとき、ＯＳ（Ｏｐｅｒａｔｉｎｇ  Ｓｙｓｔｅｍ：オペレーティング・システム）によって認識されるデバイスＩＤとカードの並び順との順番が異なってしまう場合がある。
従って、制御部５に格納された画面制御プログラムは、まず、すべてのオーバレイハードウェアのカードＩＤを読み出して各オーバレイハードウェアの順番を認識し、オーバレイハードウェアと表示画面との対応を識別する。
このように、ＩＤ設定機構１３Ａ、１３Ｂを設けることにより、表示画面２０Ａ、２０Ｂとカードとの並び順を一致させ、オーバレイハードウェアと表示画面との対応を正確に識別することができる。
【００２４】
実施の形態７．
図８はこの発明の実施の形態７を示す画像オーバレイ装置のブロック構成図である。図７において、前述（図１参照）と同一のものについては同一符号を付して詳述を省略する。
図８において、オーバレイ部４Ａ、４Ｂは、任意の表示座標における表示色情報（ＲＧＢ値、指定したピクセルの色の値）を抽出する表示色情報抽出機能（表示色情報抽出手段）を備える。
画像オーバレイ装置２には、ＮＴＳＣ基準発生器１４が接続され、ＮＴＳＣ基準発生器１４は、カラーバーなどの特定の固定ビデオ映像を出力する。
なお、前述（図１参照）と同様に表示画面が２画面で構成され、２画面を１つの大画面とする。
表示色情報抽出機能は、表示画面の所定の表示座標における表示色情報を抽出し、表示色情報を表示画面に表示させる。
【００２５】
例えば、ＮＴＳＣ基準発生器１４をカメラ画像入力に接続し、ＮＴＳＣ基準発生器１４は、カラーバーを出力する。オーバレイ部４Ａ、４Ｂの表示色情報抽出機能は、カラーバーの所定の表示座標における表示色情報を抽出して表示装置２０Ａ、２０Ｂに表示させるので、表示色情報を確認して、期待する色が表示されているか否かを判定することができる。
このように、表示色情報を表示させることにより、原画像の色情報と比較することができ、ハードウェアが正常に動作しているか否か試験することができる。
同一座標においては、常に同じ表示色情報抽出されるということを想定することができ、異なる値が得られた場合には、ハードウェアの故障と判定することができる。これにより量産製造時の試験を容易にすることができる。
【００２６】
【発明の効果】
以上のように、この発明によれば、アナログ形式の監視画像をデジタル形式に変換するＡＤ変換部と、監視画像の全体から、表示装置毎に割り当てられた表示部分のみの分割画像を取得し、分割画像をベース画像に重ねて、表示装置毎の表示画像として、各表示画像が割り当てられた表示装置に出力する複数のオーバレイ部と、各オーバレイ部を制御し、各表示画像をそれぞれのオーバレイ部に割り当てられた表示装置に出力させる制御部とを備えたので、ＡＤ変換部を減らし、コストを削減することができ、また、分配器を通すことによって生じる画質の低下を避けることのできる画像オーバレイ装置が得られる効果がある。
【図面の簡単な説明】
【図１】この発明の実施の形態１を示す画像オーバレイ装置のブロック構成図である。
【図２】従来の画像オーバレイ装置のブロック構成図である。
【図３】この発明の実施の形態２を示す画像オーバレイ装置のブロック構成図である。
【図４】この発明の実施の形態３を示す画像オーバレイ装置のブロック構成図である。
【図５】この発明の実施の形態４を示す画像オーバレイ装置のブロック構成図である。
【図６】この発明の実施の形態５を示す画像オーバレイ装置のブロック構成図である。
【図７】この発明の実施の形態６を示す画像オーバレイ装置のブロック構成図である。
【図８】この発明の実施の形態７を示す画像オーバレイ装置のブロック構成図である。
【符号の説明】
１  カメラ、２  画像オーバレイ装置、３  ＡＤ変換部（映像入力手段）、４Ａ、４Ｂ  オーバレイ部（オーバレイ手段）、５  制御部（制御手段）、６  ＪＰＥＧデコーダ（映像入力手段）、７  ＭＰＥＧデコーダ（映像入力手段）、８パソコン、９  高速ＡＤ変換部（映像入力手段）、１０  ベース画面出力装置、１１  低速通信対応ケーブル、１２  高速通信対応ケーブル、１３Ａ、１３ＢＩＤ設定機構、１４  ＮＴＳＣ基準発生器、２０Ａ、２０Ｂ  表示装置、表示画面。
【図１】
2004266612.tif 000003
【図２】
2004266612.tif 000004
【図３】
2004266612.tif 000005
【図４】
2004266612.tif 000006
【図５】
2004266612.tif 000007
【図６】
2004266612.tif 000008
【図７】
2004266612.tif 000009
【図８】
2004266612.tif 000010